(57)【特許請求の範囲】
【請求項１】
先端に足置場（１３、１４）を備え、末尾に内向きギヤ（２０）を備えた左右のアーム（１０Ｌ、１０Ｒ）を設け、上記内向きギヤとそれぞれ係合するラチェット機能付き歯車（７Ｌ、７Ｒ）を後輪軸の両側に設け、アームの上下動の支点であるアーム取付けボルト用穴（１９）を、左右のアーム取付けボルト（８Ｌ、８Ｒ）により、後輪内の後輪軸と同一高さに、左右のアームを回動自在に連結し、後輪前方に設けられたバランス用歯車（５）と該バランス用歯車と係合するバランス用チェーン（６）によってアームの上下運動を制御した足踏み自転車において、
左右のアームの後輪前方のバランス用歯車の下方にチェーン位置調整用くりぬき穴（１８）を設け、該チェーン位置調整用くりぬき穴に、アームの上下の幅より長いチェーン位置調整用補助板（１６）を挿入し、チェーン位置調整用補助板のアームから上方に突出した左右のチェーン接続ボルト穴（１７）にバランス用チェーンの一端をそれぞれ固定し、チェーン位置調整用補助板のアームから下方に突出した左右のチェーン位置調整用補助板取付けボルト（２２）を回動可能にそれぞれ取付けると共に、
チェーン位置調整用くりぬき穴が上方で広がっている形状であることを特徴とする足踏み式自転車。
【請求項２】
チェーン位置調整用くりぬき穴が、上方で車体の前方に広がっていることを特徴とする請求項１に記載する足踏み式自転車。
【請求項３】
アーム取付けボルト用穴とラチェット機能付き歯車の車軸がほぼ同一高さに取付けられていることを特徴とする請求項１又は請求項２に記載する足踏み式自転車。
【請求項４】
バランス用歯車（５）をチェーン位置調整用くりぬき穴の真上に配置し、バランス用チェーンのブレを最小に保つことを特徴とする請求項１ないし請求項３のいずれかに記載する足踏み式自転車。
【請求項５】
アームの上昇の上限を設定する左右のアーム用クッションストッパーゴム板（１５Ｌ、１５Ｒ）を上昇したアームが当接する縦フレームに設けたことを特徴とする請求項１ないし請求項４のいずれかに記載する足踏み式自転車。
【発明の詳細な説明】
【０００１】
【発明の属する技術分野】
この発明は、てこの原理の応用で小さな力で足踏みを行う事により走行出来る自転車である。
【０００２】
【従来の技術】
従来の自転車はチェーンギヤを回転する事でチェーンを介し後輪を駆動して走行していた。
【０００３】
【発明が解決しようとする課題】
従来の自転車では、チェーンギヤのアームが短い為、起動時や登り坂では大きな力が必要であり、又チェーンギヤを回転させなければなず、上限付近や下限付近での力のロスがあった。
【０００４】
【課題を解決するための手段】
上記課題を解決する為に、本発明はてこの原理の利用で小さな力でアームを押し下げる事により、後輪の歯車を回転させ自転車を走行させる。又片側アームを押し下げるとバランス用歯車とバランス用チェーンにより、反対側のアームが上がるので上がったアームを押し下げることにより連続駆動出来、走行出来る。
【０００５】
【発明の実施の形態】
本発明は左右のアーム（１０Ｌ，１０Ｒ）を交互に踏む事により走行出来る自転車でアーム取付けボルトと踏む位置が長い為踏む力が小さくて済む。
【０００６】
上記アーム（１０Ｌ，１０Ｒ）を取付ける位置は後輪軸と同じ高さで後輪軸近くにボルト（８Ｌ，８Ｒ）で取付ける。
【０００７】
又アーム（１０Ｌ，１０Ｒ）末尾の扇形部には内向きギヤを取付け後輪両側に取付けたラチェット機能付き歯車（７Ｌ，７Ｒ）と噛み合わせる。
【０００８】
アーム（１０Ｌ，１０Ｒ）の先端は足踏み場（１３，１４）を設けており先端部分を１５°傾け足全体で踏む事が出来る。
【０００９】
更に左右のアーム（１０Ｌ、１０Ｒ）の先端はバランス用チェーン（６）につながれており、バランス用歯車（５）により左右のアーム（１０Ｌ、１０Ｒ）が連動し、水平に対し１５°になるとアームをそれ以上上昇させない為に、縦フレーム（１２）にストッパーフレームとクッションゴムを取付けてある。
【００１０】
又アームを吊っているチェーンの取付け部の上昇、下降による位置ズレを最小にする為に、アームにチェーン位置調整用くりぬき穴（１８）を設け、チェーン位置調整用補助板（１６）を取付ける。
【００１１】
【実施例】
実施例について図面を参照して説明すると、図２において後輪（２）の両側にラチェット機能付き歯車（７Ｌ、７Ｒ）を取付け、その歯車とアーム（１０Ｌ、１０Ｒ）の内向きギヤ（２０）と噛み合わせてフレーム（１２）に左右のアーム取付けボルト（８Ｌ、８Ｒ）を取付ける。
先端にチェーン位置調整用補助板（１６）を接続したバランス用チェーン（６）とバランス用歯車（５）をフレームに取付け、アーム（１０Ｌ、１０Ｒ）とチェーン位置調整用補助板取付けボルト（２２）で接続する。
【００１２】
図４においてアーム（１０Ｌ）を下方に踏むと取付けボルト（８Ｌ）を基点にして内向きギヤ（２０）が上方に移動しラチェット機能付き歯車（７Ｌ）が反時計方向に回転し、歯車がロックしているので後輪（２）も反時計方向に回転し自転車は走行する。
【００１３】
チェーンの吊り基点はアーム（１０Ｌ）が図４の位置から図１の水平まではチェーン位置調整用補助板取付けボルト（２２）であるが、水平では吊り基点がチェーン接続ボルト穴（１７））になりチェーンのブレを最小にする。
【００１４】
アーム（１０Ｌ）を下方に踏むと、バランス用チェーン（６）でつながっているアーム（１０Ｒ）がバランス用歯車（５）により上方に移動し、水平位置でアーム（１０Ｌ）とアーム（１０Ｒ）が同じ位置になる。さらにアーム（１０Ｌ）を下方に踏むと、アーム（１０Ｒ）がさらに上方に移動し、水平より１５°になるとクッションストッパーゴム板（１５）によりそれ以上うえに行けないのでアーム（１０Ｌ）も下方に行けない。
【００１５】
図３において、アーム（１０Ｒ）を下方に踏むと、バランス用チェーン（６）でつながっているアーム（１０Ｌ）がバランス用歯車（５）により上方に移動する。アーム（１０Ｌ）が上方に移動する時は内向きギヤ（２０）が下方に動き、左ラチェット機能付き歯車（７Ｌ）が時計方向に回転するので、ラチェットのロックがきかず、後輪（２）はアーム（１０Ｌ）に関係なく、アーム（１０Ｒ）により反時計方向に回転し自転車は走行する。
【００１６】
【発明の効果】
本発明は以上説明したような形で実施され以下に記載されるような効果を奏する。
【００１７】
本発明は、右アームと左アームを吊っているそれぞれのバランス用チェーンの取付け部の上昇、下降によるバランス用チェーンの位置ずれを最小にした。本発明により、てこの原理により踏む力が小さくて済み楽に走行出来る足踏み式自転車が実用可能になった。
【００１８】
バランス用チェーンとバランス用歯車の使用により小さな足踏みでも走行出来る。
【図面の簡単な説明】
【図１】左右のアームが水平位置の自転車側面図
【図２】自転車平面図
【図３】左アーム下限位置及び右アーム上限位置の自転車側面図
【図４】左アーム上限位置及び右アーム下限位置の自転車側面図
【図５】アーム詳細図
【図６】Ａ−Ａ’断面図
【符号の説明】
１、    前輪
２、    後輪
３、    ハンドル
４、    シート
５、    バランス用歯車
６、    バランス用チェーン
７Ｌ、  左ラチェット機能付き歯車
７Ｒ、  右ラチェット機能付き歯車
８Ｌ、  左アーム取付けボルト
８Ｒ、  右アーム取付けボルト
９Ｌ、  クッションストッパー用ゴム板
９Ｒ、  クッションストッパー用ゴム板
１０Ｌ、  左アーム
１０Ｒ、  右アーム
１２、    フレーム
１３、    左アーム用足置き場
１４、    右アーム用足置き場
１５Ｌ、  左アーム用クッションストッパーゴム板
１５Ｒ、  右アーム用クッションストッパーゴム板
１６、    チェーン位置調整用補助板
１７、    チェーン接続ボルト穴
１８、    チェーン位置調整用くりぬき穴
１９、    アーム取付けボルト用穴
２０、    内向きギヤ
２１、    チェーン脱落防止用カバー
２２、    チェーン位置調整用補助板取付けボルト
【図１】
0003702250.tif 000002
【図２】
0003702250.tif 000003
【図３】
0003702250.tif 000004
【図４】
0003702250.tif 000005
【図５】
0003702250.tif 000006
【図６】
0003702250.tif 000007